(57)【要約】【課題】製造コストを削減できるとともに輝度分布を略均一にできる照明装置及びそれを備えた表示装置を提供することを目的とする。【解決手段】複数のＬＥＤ３４を筐体３１内に配置して前面の出射面３２ｃから照明光を出射する照明装置３において、ＬＥＤ３４の配置密度の異なる高密度領域Ｈと低密度領域Ｌとを有し、低密度領域ＬのＬＥＤ３４を高密度領域ＨのＬＥＤ３４よりも出射面３２ｃに近づけて配置した。【選択図】図２
2013182854.tif 000002
【特許請求の範囲】
【請求項１】
複数のＬＥＤを筐体内に配置して前面の出射面から照明光を出射する照明装置において、
前記ＬＥＤの配置密度の異なる高密度領域と低密度領域とを有し、
前記低密度領域の前記ＬＥＤを前記高密度領域の前記ＬＥＤよりも前記出射面に近づけて配置したことを特徴とする照明装置。
【請求項２】
前記ＬＥＤに対して前記出射面の反対側に配される反射部材をさらに備え、
前記低密度領域の前記反射部材を前記高密度領域の前記反射部材よりも前記出射面に近づけて配置したことを特徴とする請求項１に記載の照明装置。
【請求項３】
前記筐体の底面が中央部に対して周部を傾斜して形成され、前記底面上に前記ＬＥＤを設置したことを特徴とする請求項１または請求項２に記載の照明装置。
【請求項４】
前記筐体内の中央部に前記高密度領域を設けるとともに前記筐体内の周部に前記低密度領域を設けたことを特徴とする請求項３に記載の照明装置。
【請求項５】
前記筐体内の中央部に前記低密度領域を設けるとともに前記筐体内の周部に前記高密度領域を設けたことを特徴とする請求項３に記載の照明装置。
【請求項６】
前記ＬＥＤを実装した複数の同一のＬＥＤ基板を備え、前記高密度領域の前記ＬＥＤ基板の配置密度が前記低密度領域の前記ＬＥＤ基板の配置密度よりも高いことを特徴とする請求項１〜請求項５のいずれかに記載の照明装置。
【請求項７】
前記ＬＥＤの実装密度の異なる第１ＬＥＤ基板と第２ＬＥＤ基板とを備え、前記高密度領域に第１ＬＥＤ基板を配置するとともに第１ＬＥＤ基板よりも前記ＬＥＤの実装密度の低い第２ＬＥＤ基板を前記低密度領域に配置したことを特徴とする請求項１〜請求項５のいずれかに記載の照明装置。
【請求項８】
請求項１〜請求項７のいずれかに記載の照明装置と、前記照明装置からの光を利用して表示を行う表示パネルとを備えたことを特徴とする表示装置。
【請求項９】
前記表示パネルが液晶を用いた液晶パネルであることを特徴とする請求項８に記載の表示装置。
【発明の詳細な説明】
【技術分野】
【０００１】
本発明は、ＬＥＤを用いた照明装置及びそれを備えた表示装置に関する。
【背景技術】
【０００２】
従来の表示装置は特許文献１、２に開示されている。この表示装置は液晶パネルと照明装置とを備えている。液晶パネルと照明装置とは枠状のベゼルにより一体的に保持されている。液晶パネルは照明装置からの光を利用して表示を行う表示パネルを構成する。
【０００３】
照明装置は前面が開口した略箱形状の筐体を有している。筐体内にはＬＥＤ（発光ダイオード：Ｌｉｇｈｔ  Ｅｍｉｔｔｉｎｇ  Ｄｉｏｄｅ）を複数実装したＬＥＤ基板が複数配置されている。また、筐体の開口を覆うように拡散板等の光学部材が設けられている。光学部材に対してＬＥＤ基板と反対側に液晶パネルが配置される。ＬＥＤに通電するとＬＥＤが発光し、光学部材を介して照明光が出射される。これにより、液晶パネルを照明して画像が表示される。
【０００４】
特許文献１に記載の表示装置の照明装置では、ＬＥＤの配置密度が筐体の周部よりも中央部のほうが高くなるようにＬＥＤ基板を配置している。従って、使用者の注意が注がれやすい液晶パネル中央部の輝度を容易に向上させることができる。
【０００５】
人間の瞳は正面視略円形であるため、使用者の注意は液晶パネル中央部に注がれる。このため、液晶パネル中央部の輝度を液晶パネル周部の輝度よりも若干高くすることにより使用者は液晶パネルの輝度ムラが低減されたと認識できる。
【０００６】
一方、特許文献２に記載の表示装置の照明装置では、ＬＥＤの配置密度が筐体の中央部よりも周部のほうが高くなるようにＬＥＤ基板を配置している。これにより、暗くなり易い液晶パネル周部の輝度を容易に向上させることができる。
【先行技術文献】
【特許文献】
【０００７】
【特許文献１】国際公開第２０１０／１４６９２１号公報（第９頁、第１０頁、図７、図８）
【特許文献２】国際公開第２０１０／１４６９２０号公報（第１０頁、第１１頁、図７、図８）
【発明の概要】
【発明が解決しようとする課題】
【０００８】
しかしながら、上記従来の照明装置によると、コストを削減するためにＬＥＤの数量を削減すると、ＬＥＤの配置密度の低い領域で輝度が低下する。これにより、出射面の輝度分布が略均一になるのに必要な輝度をＬＥＤの配置密度の低い領域で確保することが困難となる。従って、出射面の輝度分布が略均一にならないという問題があった。なお、本明細書において輝度分布が略均一になるとは出射面の中央部と周部で輝度が必ずしも同じである必要はなく、使用者に出射面の輝度ムラを認識させない程度の輝度分布になっていることを意味する。
【０００９】
本発明は、製造コストを削減できるとともに輝度分布を略均一にできる照明装置及びそれを備えた表示装置を提供することを目的とする。
【課題を解決するための手段】
【００１０】
上記目的を達成するために本発明は、複数のＬＥＤを筐体内に配置して前面の出射面から照明光を出射する照明装置において、前記ＬＥＤの配置密度の異なる高密度領域と低密度領域とを有し、前記低密度領域の前記ＬＥＤを前記高密度領域の前記ＬＥＤよりも前記出射面に近づけて配置したことを特徴としている。
【００１１】
この構成によると、ＬＥＤに通電するとＬＥＤが発光する。ＬＥＤから出射した光は前面の出射面から照明光となって出射する。この時、低密度領域のＬＥＤと出射面との間の距離は、高密度領域のＬＥＤと出射面との間の距離よりも短くなっている。
【００１２】
また本発明は、上記構成の照明装置において、前記ＬＥＤに対して前記出射面の反対側に配される反射部材をさらに備え、前記低密度領域の前記反射部材を前記高密度領域の前記反射部材よりも前記出射面に近づけて配置するとより好ましい。この構成によると、ＬＥＤから出射した光の一部は反射部材で反射した後に出射面から出射する。
【００１３】
また本発明は、上記構成の照明装置において、前記筐体の底面が中央部に対して周部を傾斜して形成され、前記底面上に前記ＬＥＤを設置すると好ましい。
【００１４】
また本発明は、上記構成の照明装置において、前記筐体内の中央部に前記高密度領域を設けるとともに前記筐体内の周部に前記低密度領域を設けると好ましい。
【００１５】
また本発明は、上記構成の照明装置において、前記筐体内の中央部に前記低密度領域を設けるとともに前記筐体内の周部に前記高密度領域を設けると好ましい。
【００１６】
また本発明は、上記構成の照明装置において、前記ＬＥＤを実装した複数の同一のＬＥＤ基板を備え、前記高密度領域の前記ＬＥＤ基板の配置密度が前記低密度領域の前記ＬＥＤ基板の配置密度よりも高いと好ましい。
【００１７】
また本発明は、上記構成の照明装置において、前記ＬＥＤの実装密度の異なる第１ＬＥＤ基板と第２ＬＥＤ基板とを備え、前記高密度領域に第１ＬＥＤ基板を配置するとともに第１ＬＥＤ基板よりも前記ＬＥＤの実装密度の低い第２ＬＥＤ基板を前記低密度領域に配置すると好ましい。
【００１８】
また本発明の表示装置は、上記構成の照明装置と、前記照明装置からの光を利用して表示を行う表示パネルとを備えたことを特徴としている。
【００１９】
また本発明は、上記構成の表示装置において、前記表示パネルが液晶を用いた液晶パネルであるとより好ましい。
【発明の効果】
【００２０】
本発明によると、ＬＥＤの配置密度の異なる高密度領域と低密度領域とを筐体内に有し、低密度領域のＬＥＤを高密度領域のＬＥＤよりも出射面に近づけて配置したので、出射面の輝度分布が略均一になるのに必要な輝度を低密度領域で確保することができる。従って、出射面の輝度分布を略均一にすることができる。また、低密度領域のＬＥＤを出射面に近づけるため、ＬＥＤの数量を削減しても出射面の輝度分布を略均一にするのに必要な輝度を確保することができる。従って、ＬＥＤの数量を削減して照明装置の製造コストを削減できる。
【図面の簡単な説明】
【００２１】
【図１】本発明の第１実施形態の液晶表示装置の概略構成を示す分解斜視図
【図２】本発明の第１実施形態の液晶表示装置の長手方向における断面図
【図３】本発明の第１実施形態の液晶表示装置の照明装置の平面図
【図４】本発明の第２実施形態の液晶表示装置の長手方向における断面図
【図５】本発明の第２実施形態の液晶表示装置の照明装置の平面図
【図６】本発明の第３実施形態の液晶表示装置の長手方向における断面図
【図７】本発明の第３実施形態の液晶表示装置の照明装置の平面図
【図８】本発明の第４実施形態の液晶表示装置の長手方向における断面図
【図９】本発明の第４実施形態の液晶表示装置の照明装置の平面図
【図１０】本発明の第５実施形態の液晶表示装置の短手方向における断面図
【図１１】本発明の第５実施形態の液晶表示装置の照明装置の平面図
【発明を実施するための形態】
【００２２】
以下に本発明の実施形態を図面を参照して説明する。図１は第１実施形態の液晶表示装置の分解斜視図を示している。液晶表示装置１は液晶パネル２と照明装置３とを備えている。液晶パネル２と照明装置３とは枠状のベゼル１１により一体的に保持される。
【００２３】
液晶パネル２は２つのガラス基板（不図示）を有する。２つのガラス基板は所定間隔を隔てて設けられている。２つのガラス基板間には液晶が封入される。一方のガラス基板には、スイッチング素子、画素電極、及び配向膜が設けられる（いずれも不図示）。スイッチング素子としては例えば薄膜トランジスタ（ＴＦＴ：Ｔｈｉｎ  Ｆｉｌｍ  Ｔｒａｎｓｉｓｔｏｒ）を用いることができる。画素電極はスイッチング素子に接続されている。配向膜はポリイミド樹脂により形成され、表面がラビング処理されている。配向膜により液晶分子を一定方向に並ばせることができる。
【００２４】
他方のガラス基板には、カラーフィルタ、対向電極、及び配向膜が設けられている（いずれも不図示）。カラーフィルタには、赤色着色部、緑色着色部、及び青色着色部が所定の配列で配置されている（いずれも不図示）。また、両方のガラス基板の外表面には偏光板（不図示）が配されている。
【００２５】
照明装置３は筐体３１、光学部材３２、及びフレーム３３を有する。筐体３１内にはシート状の反射部材３５が配され、反射部材３５上にはＬＥＤ基板３６ａ、３６ｂ（第１、第２ＬＥＤ基板）が複数配置されている。ＬＥＤ基板３６ａ、３６ｂにはＬＥＤ３４が複数実装される。ＬＥＤ基板３６ａのＬＥＤ３４の実装密度は、ＬＥＤ基板３６ｂのＬＥＤ３４の実装密度よりも高くなっている。ＬＥＤ３４に通電することにより、ＬＥＤ３４が発光する。ＬＥＤ３４から出射した光は光学部材３２を介して液晶パネル２に入射する。これにより、液晶パネル２は照明装置３からの光を利用して表示を行う表示パネルを構成する。
【００２６】
図２は液晶表示装置１の長手方向における断面図を示している。図３は液晶表示装置１の照明装置３の平面図を示している。なお、図３では光学部材３２及びフレーム３３の図示を省略している。照明装置３の筐体３１は前面に開口部３１ａを有する略箱形状となっており、金属により形成される。開口部３１ａは光学部材３２により覆われる。また、筐体３１は底板３１ｂと側板３１ｃと受け板３１ｄとを有する。
【００２７】
底板３１ｂは平面視矩形状となっており、長手方向の中央部から端部へ行くほど光学部材３２に近づくように傾斜している。側板３１ｃは底板３１ｂの各辺の外端から立ち上がっている。受け板３１ｄは側板３１ｃの立ち上がり端から外向きに張り出している。
【００２８】
光学部材３２は拡散板３２ａと複数の光学シート３２ｂとから構成される。拡散板３２ａは合成樹脂製の板状部材に光散乱粒子が分散配合されて形成される。ＬＥＤ３４から出射した光は拡散板３２ａによって拡散される。これにより、ＬＥＤ３４から出射した光を面状光にすることができる。なお、拡散板３２ａの外縁部は筐体３１の受け板３１ｄ上に載置されている。
【００２９】
光学シート３２ｂは拡散板３２ａよりも薄いシート状となっており、拡散板３２ａ上（液晶パネル２側）に配されている。光学シート３２ｂとしては、例えば拡散シート、レンズシート、反射型偏光シート等を用いることができ、これらの中から適宜選択して使用することができる。光学シート３２ｂの上面（前面）がＬＥＤ３４の光を出射する出射面３２ｃとなり、出射面３２ｃに対向して液晶パネル２が配置される。
【００３０】
反射部材３５は筐体３１の底板３１ｂ及び側板３１ｃの内面の略全体を覆うように配されている。反射部材３５は合成樹脂により形成され、表面は光反射性に優れた白色となっている。反射部材３５上にＬＥＤ基板３６ａ、３６ｂが配置されているので、ＬＥＤ３４から出射した光の一部は反射部材３５により拡散板３２ａ側に反射される。
【００３１】
また、反射部材３５は傾斜した底板３１ｂ上に配される。これにより、反射部材３５は筐体３１の長手方向の中央部から端部へ行くほど光学部材３２の出射面３２ｃに近づくように傾斜している。また、反射部材３５はＬＥＤ３４に対して出射面３２ｃの反対側に配されている。
【００３２】
なお、反射部材３５をＬＥＤ基板３６ａ、３６ｂ上に配してもよい。この時、反射部材３５に複数の孔部（不図示）を設け、この孔部を介してＬＥＤ３４が光学部材３２に対して露出するように構成すると望ましい。これにより、ＬＥＤ３４から出射した光を一層効率よく反射させることができる。
【００３３】
フレーム３３は中央部が開口した枠状に形成され、筐体３１の受け板３１ｄ上に配される。フレーム３３は拡散板３２ａの外縁部、光学シート３２ｂの外縁部、及び反射部材３５の外縁部を受け板３１ｄとの間で挟んで保持する。
【００３４】
また、フレーム３３に取付孔（不図示）が設けられるとともにベゼル１１に貫通孔（不図示）が設けられる。ネジ（不図示）が貫通孔を介して取付孔に螺合することによりベゼル１１及びフレーム３３を一体に取り付けることができる。
【００３５】
ＬＥＤ基板３６ａ、３６ｂはその長手方向が筐体３１の長手方向と略平行になるように配置される。ＬＥＤ基板３６ａ、３６ｂは合成樹脂により形成され、表面に銅箔等の金属膜からなる配線パターン（不図示）が形成されている。ＬＥＤ基板３６ａ、３６ｂにはＬＥＤ３４がそれぞれ７個、４個実装されている。ＬＥＤ３４を実装する実装面の面積はＬＥＤ基板３６ａ、３６ｂで同一になっている。これにより、ＬＥＤ３４の実装密度はＬＥＤ基板３６ａよりもＬＥＤ基板３６ｂのほうが低くなっている。なお、ＬＥＤ基板３６ａ、３６ｂに実装されるＬＥＤ３４の数に特に限定はなく、適宜変更することができる。
【００３６】
ＬＥＤ基板３６ａ、３６ｂはコネクタ嵌合部（不図示）を有し、コネクタ嵌合部にはコネクタ３７が嵌合する。コネクタ３７はＬＥＤ基板３６ａ、３６ｂを連結するとともに導通させることができる。また、コネクタ３７はＬＥＤ基板３６ａ同士、ＬＥＤ基板３６ｂ同士を連結するとともに導通させることもできる。これにより、異なるサイズの照明装置ごとに対応するＬＥＤ基板を逐一製造する必要がない。従って、照明装置３の製造コストを削減できる。
【００３７】
ＬＥＤ基板３６ａ、３６ｂには制御ユニット（不図示）が接続されている。制御ユニットは照明装置３の外部に設けられ、ＬＥＤ３４の点灯に必要な電力を供給するとともにＬＥＤ３４の点灯を制御する。
【００３８】
ＬＥＤ３４は、例えば青色を単色発光する青色ダイオードチップの表面に青色光を黄色光に変換する蛍光体を含む蛍光塗料を塗布して形成される。これにより、ＬＥＤ３４に通電するとＬＥＤ３４は白色発光する。光源としてＬＥＤ３４を用いることにより、光源の長寿命化及び低消費電力化を図ることができる。各々のＬＥＤ３４は、ＬＥＤ基板３６ａ、３６ｂに形成された配線パターンにより直列に電気的接続される。
【００３９】
ＬＥＤ３４は拡散レンズ（不図示）に覆われている。拡散レンズはＬＥＤ３４から出射した光を制御して効率良く拡散させることができる。これにより、ＬＥＤ３４の数量を削減することができる。拡散レンズは高い透光性を有する合成樹脂により形成され、例えばアクリル樹脂により形成される。
【００４０】
ＬＥＤ基板３６ａは筐体３１の長手方向の中央部に１０個配置されている。一方、ＬＥＤ基板３６ｂは筐体３１の長手方向の両端部にそれぞれ５個ずつ配置されている。これにより、筐体３１内にはＬＥＤ３４の配置密度の異なる高密度領域Ｈと低密度領域Ｌとが形成される。高密度領域ＨはＬＥＤ３４の配置密度が低密度領域Ｌよりも高くなっている。高密度領域Ｈは筐体３１の長手方向の中央部に形成され、低密度領域Ｌは筐体３１の長手方向の両端部に形成されている。なお、ＬＥＤ基板３６ａ、３６ｂの数に特に限定はなく、照明装置３のサイズ等に応じて適宜変更することができる。
【００４１】
この時、底板３１ｂは長手方向の中央部から端部へ向かうほど光学部材３２の出射面３２ｃに近づくように傾斜している。これにより、低密度領域ＬのＬＥＤ３４は高密度領域ＨのＬＥＤ３４よりも出射面３２ｃに近くなっている。また、低密度領域Ｌの反射部材３５は高密度領域Ｈの反射部材３５よりも出射面３２ｃに近くなっている。
【００４２】
上記構成の液晶表示装置１において、照明装置３を駆動してＬＥＤ３４に通電すると、ＬＥＤ３４が発光する。ＬＥＤ３４から出射した光は光学部材３２に直接入射するとともに、ＬＥＤ３４から出射した光の一部は反射部材３５で反射した後に光学部材３２に入射する。
【００４３】
光学部材３２に入射した光は面状光になって光学部材３２の出射面３２ｃから出射する。そして、出射面３２ｃから出射した光は液晶パネル２に入射する。これにより、液晶パネル２で画像の表示が行われる。
【００４４】
この時、低密度領域ＬはＬＥＤ３４の配置密度が高密度領域Ｈよりも低いが、低密度領域ＬのＬＥＤ３４は高密度領域ＨのＬＥＤ３４よりも光学部材３２の出射面３２ｃに近くなっている。これにより、出射面３２ｃの輝度分布が略均一になるのに必要な輝度を出射面３２ｃの中央部及び周部において確保することができる。従って、出射面３２ｃの輝度分布を略均一にすることができる。
【００４５】
また、低密度領域ＬのＬＥＤ３４を高密度領域ＨのＬＥＤ３４よりも光学部材３２の出射面３２ｃに近づけているため、低密度領域ＬではＬＥＤ３４の数量を削減しても出射面３２ｃの輝度分布を略均一にするのに必要な輝度を確保することができる。従って、ＬＥＤ３４の数量を削減して照明装置３の製造コストを削減できる。また、省エネルギー化を図ることができる。
【００４６】
本実施形態によると、複数のＬＥＤ３４を筐体３１内に配置して前面の出射面３２ｃから照明光を出射する照明装置３において、ＬＥＤ３４の配置密度の異なる高密度領域Ｈと低密度領域Ｌとを有し、低密度領域ＬのＬＥＤ３４を高密度領域ＨのＬＥＤ３４よりも出射面３２ｃに近づけて配置している。これにより、出射面３２ｃの輝度分布が略均一になるのに必要な輝度を低密度領域で確保することができる。従って、出射面３２ｃの輝度分布を略均一にすることができる。
【００４７】
また、低密度領域ＬのＬＥＤ３４を出射面３２ｃに近づけるため、ＬＥＤ３４の数量を削減しても出射面３２ｃの輝度分布を略均一にするのに必要な輝度を確保することができる。従って、ＬＥＤの数量を削減して照明装置３の製造コストを削減できる。
【００４８】
ＬＥＤ３４に通電するとＬＥＤ３４から熱が発生する。そして、高密度領域ＨはＬＥＤ３４の配置密度が低密度領域Ｌよりも高いため、高密度領域Ｈで発生する熱量は低密度領域Ｌよりも多くなる。本実施形態によれば、高密度領域ＨのＬＥＤ３４は低密度領域ＬのＬＥＤ３４よりも光学部材３２から離れている。これにより、高密度領域ＨのＬＥＤ３４で発生する熱による光学部材３２の変形や破損等を防止することができる。
【００４９】
また、ＬＥＤ３４に対して出射面３２ｃの反対側に配される反射部材３５をさらに備え、低密度領域Ｌの反射部材３５を高密度領域Ｈの反射部材３５よりも出射面３２ｃに近づけて配置したので、出射面３２ｃの輝度をより向上できるとともに出射面３２ｃの輝度分布を一層略均一にできる。
【００５０】
また、筐体３１の底板３１ｂ（底面）が中央部に対して周部を傾斜して形成され、底板３１ｂ上にＬＥＤ３４を設置したので、輝度分布をより略均一にできる。
【００５１】
また、筐体３１内の中央部に高密度領域Ｈを設けるとともに筐体３１内の周部に低密度領域Ｌを設けたので、出射面３２ｃの周部の輝度の低下を防止できる。
【００５２】
ＬＥＤ３４の実装密度の異なるＬＥＤ基板３６ａ、３６ｂ（第１、第２ＬＥＤ基板）を備え、高密度領域ＨにＬＥＤ基板３６ａを配置するとともにＬＥＤ基板３６ａよりもＬＥＤ３４の実装密度の低いＬＥＤ基板３６ｂを低密度領域Ｌに配置したので、高密度領域Ｈ及び低密度領域Ｌを簡単に形成できる。
【００５３】
上記構成の照明装置３と、照明装置３からの光を利用して表示を行う液晶パネル２（表示パネル）とを備えたので、表示品位を向上させることができる。
【００５４】
次に第２実施形態について説明する。図４は本実施形態の液晶表示装置１の長手方向における断面図を示している。図５は液晶表示装置１の照明装置３の平面図を示している。説明の便宜上、前述の図１〜図３に示す第１実施形態と同様の部分には同一の符号を付している。本実施形態では筐体３１の底板３１ｂの形状、高密度領域Ｈ及び低密度領域Ｌの位置が第１実施形態と異なっている。その他の部分は第１実施形態と同様である。
【００５５】
ＬＥＤ基板３６ａは筐体３１の底板３１ｂの長手方向の両端部にそれぞれ５個ずつ配置されている。一方、ＬＥＤ基板３６ｂは底板３１ｂの長手方向の中央部に１０個配置されている。これにより、筐体３１の長手方向の中央部に低密度領域Ｌが形成されるとともに、筐体３１の長手方向の両端部には高密度領域Ｈが形成される。
【００５６】
この時、底板３１ｂは長手方向の端部から中央部へ向かうほど光学部材３２の出射面３２ｃに近づくように傾斜している。これにより、低密度領域ＬのＬＥＤ３４は高密度領域ＨのＬＥＤ３４よりも出射面３２ｃに近くなっている。また、低密度領域Ｌの反射部材３５は高密度領域Ｈの反射部材３５よりも出射面３２ｃに近くなっている。
【００５７】
本実施形態によると、第１実施形態と同様な効果を得ることができる。また、筐体３１内の中央部に低密度領域Ｌを設けるとともに筐体３１内の周部に高密度領域Ｈを設け、低密度領域ＬのＬＥＤ３４を高密度領域ＨのＬＥＤ３４よりも出射面３２ｃに近づけて配置している。これにより、出射面３２ｃ中央部の輝度低下を防止するとともに輝度分布を略均一にできる。
【００５８】
次に第３実施形態について説明する。図６は本実施形態の液晶表示装置１の長手方向における断面図を示している。図７は液晶表示装置１の照明装置３の平面図を示している。
説明の便宜上、前述の図１〜図３に示す第１実施形態と同様の部分には同一の符号を付している。本実施形態ではＬＥＤ基板の構成が第１実施形態と異なっている。その他の部分は第１実施形態と同様である。
【００５９】
筐体３１の底板３１ｂの長手方向の両端部にはＬＥＤ基板３６ｂがそれぞれ５個ずつ配置されている。一方、底板３１ｂの長手方向の中央部にはＬＥＤ基板３６ｂが２０個配置されている。これにより、筐体３１の長手方向の中央部には高密度領域Ｈが形成されるとともに、筐体３１の長手方向の両端部には低密度領域Ｌが形成される。なお、ＬＥＤ基板３６ｂは３つずつコネクタ３８によって連結されるとともに導通される。
【００６０】
この時、底板３１ｂは長手方向の中央部から端部へ向かうほど光学部材３２の出射面３２ｃに近づくように傾斜している。これにより、低密度領域ＬのＬＥＤ３４は高密度領域ＨのＬＥＤ３４よりも出射面３２ｃに近くなっている。また、低密度領域Ｌの反射部材３５は高密度領域Ｈの反射部材３５よりも出射面３２ｃに近くなっている。
【００６１】
本実施形態によると、第１実施形態と同様な効果を得ることができる。また、ＬＥＤ３４を実装した複数の同一のＬＥＤ基板３６ｂを備え、高密度領域ＨのＬＥＤ基板３６ｂの配置密度が低密度領域ＬのＬＥＤ基板３６ｂの配置密度よりも高くなっている。これにより、高密度領域Ｈ及び低密度領域Ｌを容易に形成できる。また、同一のＬＥＤ基板３６ｂを用いるため、照明装置３の製造コストを削減できる。
【００６２】
次に第４実施形態について説明する。図８は本実施形態の液晶表示装置１の長手方向における断面図を示している。図９は液晶表示装置１の照明装置３の平面図を示している。説明の便宜上、前述の図１〜図３に示す第１実施形態と同様の部分には同一の符号を付している。本実施形態ではＬＥＤ基板３６ａ、３６ｂの配置が第１実施形態と異なっている。その他の部分は第１実施形態と同様である。
【００６３】
ＬＥＤ基板３６ａ、３６ｂはその長手方向が筐体３１の短手方向と略平行になるように配置される。ＬＥＤ基板３６ｂは底板３１ｂの長手方向の両端部にそれぞれ６個ずつ配置されている。一方、ＬＥＤ基板３６ａは底板３１ｂの長手方向の中央部に１０個配置されている。これにより、筐体３１の長手方向の中央部に高密度領域Ｈが形成されるとともに、筐体３１の長手方向の両端部には低密度領域Ｌが形成される。
【００６４】
この時、底板３１ｂは長手方向の中央部から端部へ向かうほど光学部材３２の出射面３２ｃに近づくように傾斜している。これにより、低密度領域ＬのＬＥＤ３４は高密度領域ＨのＬＥＤ３４よりも出射面３２ｃに近くなっている。また、低密度領域Ｌの反射部材３５は高密度領域Ｈの反射部材３５よりも出射面３２ｃに近くなっている。
【００６５】
本実施形態でも、第１実施形態と同様な効果を得ることができる。
【００６６】
次に、第５実施形態について説明する。図１０は本実施形態の液晶表示装置１の短手方向における断面図を示している。また、図１１は本実施形態の液晶表示装置１の照明装置３の平面図を示している。説明の便宜上、前述の図１〜図３に示す第１実施形態と同様の部分には同一の符号を付している。本実施形態では同一のＬＥＤ基板３６ｂを用いている点、ＬＥＤ基板３６ｂの配置態様及び底板３１ｂの形状が第１実施形態と異なっている。その他の部分は第１実施形態と同様である。
【００６７】
ＬＥＤ基板３６ｂはその長手方向が筐体３１の長手方向と略平行になるように配置される。また、ＬＥＤ基板３６ｂは２つずつコネクタ３７により連結される。この時、筐体３１の短手方向の中央部に配されるＬＥＤ基板３６ｂ間の短手方向に平行な方向の距離Ｄ１は、筐体３１の短手方向の中央部に配されるＬＥＤ基板３６ｂと端部に配されるＬＥＤ基板３６ｂとの間の短手方向に平行な方向の距離Ｄ２よりも短くなっている。これにより、筐体３１の短手方向の中央部に高密度領域Ｈが形成されるとともに、筐体３１の短手方向の両端部に低密度領域Ｌが形成される。
【００６８】
また、底板３１ｂは短手方向の中央部から端部へ向かうほど光学部材３２の出射面３２ｃに近づくように傾斜している。これにより、低密度領域ＬのＬＥＤ３４は高密度領域ＨのＬＥＤ３４よりも出射面３２ｃに近くなっている。また、低密度領域Ｌの反射部材３５は高密度領域Ｈの反射部材３５よりも出射面３２ｃに近くなっている。
【００６９】
本実施形態でも、第１実施形態と同様な効果を得ることができる。また、同一のＬＥＤ基板３６ｂを用いるため、部品点数及び製造工数を削減できる。従って、照明装置３の製造コストを一層削減することができる。
【００７０】
第１〜第４実施形態において、ＬＥＤ基板３６ａ、３６ｂが設置されている底板３１ｂは長手方向の中央部に対して端部を傾斜して形成されているが、底板３１ｂの形状はこれに限られない。例えば、底板３１ｂが短手方向の中央部に対して端部を傾斜して形成され（図１０参照）、この底板３１ｂ上にＬＥＤ基板３６ａ、３６ｂを設置して高密度領域Ｈ及び低密度領域Ｌを形成してもよい。この場合でも、第１〜第４実施形態と同様な効果を得ることができる。
【００７１】
また、底板３１ｂを傾斜させずに反射部材３５を第１〜第５実施形態の底板３１ｂのように傾斜させ、この反射部材３５上にＬＥＤ３４を配置してもよい。
【００７２】
また、ＬＥＤ３４をＬＥＤ基板３６ａ、３６ｂに実装せずに、筐体３１の底板３１ｂに直接配置してもよい。これにより、部品点数を削減できるとともにスペースを節約できる。
【００７３】
また、液晶表示装置１の照明装置３を例に説明したが、他の照明装置、例えば屋内照明装置、広告等の静止画を背面から照射する照明装置等に適用してもよい。
【００７４】
また、液晶表示装置１を例に説明したが、液晶パネル以外の表示パネルを用いる他の表示装置に適用してもよい。
【産業上の利用可能性】
【００７５】
本発明は、ＬＥＤを用いた照明装置およびそれを備えた表示装置に利用することができる。
【符号の説明】
【００７６】
１          液晶表示装置
２          液晶パネル
３          照明装置
１１          ベゼル
３１          筐体
３１ａ        開口部
３１ｂ        底板
３１ｃ        側板
３１ｄ        受け板
３２          光学部材
３２ａ        拡散板
３２ｂ        光学シート
３２ｃ        出射面
３３          フレーム
３４          ＬＥＤ
３５          反射部材（反射部材）
３６ａ        ＬＥＤ基板（第１ＬＥＤ基板）
３６ｂ        ＬＥＤ基板（第２ＬＥＤ基板）
３７、３８    コネクタ
【図１】
2013182854.tif 000003
【図２】
2013182854.tif 000004
【図３】
2013182854.tif 000005
【図４】
2013182854.tif 000006
【図５】
2013182854.tif 000007
【図６】
2013182854.tif 000008
【図７】
2013182854.tif 000009
【図８】
2013182854.tif 000010
【図９】
2013182854.tif 000011
【図１０】
2013182854.tif 000012
【図１１】
2013182854.tif 000013